(57)【要約】【課題】コンテンツ視聴中のユーザにイベント発生による不快感を与えない。【解決手段】ビデオプレイヤ（１０）を制御する制御部（１０１）は、給湯装置（２０）のイベント予定時刻を取得するイベント予定時刻取得部（１０１１）と、再生中コンテンツの区切り位置を取得する区切り位置取得部（１０１２）と、イベント予定時刻以前に再生位置が区切り位置に到達するように再生速度を調整する再生速度調整部（１０１３）と、を備えている。【選択図】図１
2019205130.tif 000002
【特許請求の範囲】
【請求項１】
コンテンツ再生装置を制御する制御装置であって、
連携装置のイベント予定時刻を取得するイベント予定時刻取得処理部と、
前記コンテンツ再生装置が再生中のコンテンツの区切り位置を取得する区切り位置取得処理部と、
前記イベント予定時刻以前に、前記コンテンツの再生位置が前記区切り位置に到達するように、前記コンテンツの再生速度を調整する再生速度調整処理部と、を備えていることを特徴とする制御装置。
【請求項２】
前記区切り位置取得処理部が複数の区切り位置を取得した場合、前記再生速度調整処理部は、前記再生位置が前記イベント予定時刻以前に当該複数の区切り位置の各々に到達するための再生速度のうち、１倍に最も近い再生速度に調整することを特徴とする請求項１に記載の制御装置。
【請求項３】
前記連携装置は給湯装置であり、
前記イベント予定時刻は、前記給湯装置の給湯完了予定時刻であることを特徴とする請求項１または２に記載の制御装置。
【請求項４】
前記連携装置は調理装置であり、
前記イベント予定時刻は、前記調理装置の調理完了予定時刻であることを特徴とする請求項１または２に記載の制御装置。
【請求項５】
前記連携装置は通知機能を有し、
前記イベント予定時刻は、前記連携装置の通知予定時刻であることを特徴とする請求項１または２に記載の制御装置。
【請求項６】
請求項１から５のいずれか一項に記載の制御装置と、
前記連携装置との通信部と、を備えていることを特徴とするコンテンツ再生装置。
【請求項７】
請求項１から５のいずれか一項に記載の制御装置と、
前記コンテンツ再生装置および前記連携装置との通信部と、を備え、
前記制御装置は、さらに前記連携装置を制御することを特徴とする統合制御装置。
【請求項８】
コンテンツ再生装置を制御する制御装置としてコンピュータを機能させるための制御プログラムであって、
連携装置のイベント予定時刻を取得するイベント予定時刻取得処理部、
前記コンテンツ再生装置が再生中のコンテンツの区切り位置を取得する区切り位置取得処理部、および
前記イベント予定時刻以前に、前記コンテンツの再生位置が前記区切り位置に到達するように、前記コンテンツの再生速度を調整する再生速度調整処理部としてコンピュータを機能させるための制御プログラム。
【発明の詳細な説明】
【技術分野】
【０００１】
本発明は、制御装置、コンテンツ再生装置、統合制御装置、および、制御プログラムに関する。
【背景技術】
【０００２】
風呂の沸き上がりを通知する警報機の作動等、ユーザのコンテンツ視聴を中断するイベントが発生した場合、中断した箇所から引き続きコンテンツを再生する技術がある（特許文献１参照）。
【先行技術文献】
【特許文献】
【０００３】
【特許文献１】特開２００４−１１２３１１号公報（２００４年４月８日公開）
【発明の概要】
【発明が解決しようとする課題】
【０００４】
しかしながら、上記の技術では、ユーザは、コンテンツを視聴している最中にイベントが発生すると、コンテンツの視聴が妨げられるので、不快感を覚えるという問題がある。
【０００５】
本発明の一態様は、コンテンツ視聴中のユーザにイベント発生による不快感を与えないことを目的とする。
【課題を解決するための手段】
【０００６】
上記の課題を解決するために、本発明の一態様に係る制御装置は、コンテンツ再生装置を制御する制御装置であって、連携装置のイベント予定時刻を取得するイベント予定時刻取得処理部と、前記コンテンツ再生装置が再生中の動画の区切り位置を取得する区切り位置取得処理部と、前記イベント予定時刻以前に、前記コンテンツの再生位置が前記区切り位置に到達するように、前記コンテンツの再生速度を調整する再生速度調整処理部と、を備えている。
【０００７】
また、上記の課題を解決するために、本発明の一態様に係る制御プログラムは、コンテンツ再生装置を制御する制御装置としてコンピュータを機能させるための制御プログラムであって、連携装置のイベント予定時刻を取得するイベント予定時刻取得処理部、前記コンテンツ再生装置が再生中の動画の区切り位置を取得する区切り位置取得処理部、および前記コンテンツの再生位置が前記区切り位置に到達する時刻が前記イベント予定時刻よりも後の場合に、当該イベント予定時刻以前に、前記コンテンツの再生位置が前記区切り位置に到達するように、前記コンテンツの再生速度を調整する再生速度調整処理部としてコンピュータを機能させるためのものである。
【発明の効果】
【０００８】
本発明の一態様によれば、コンテンツ視聴中のユーザにイベント発生による不快感を与えないようにすることができる。
【図面の簡単な説明】
【０００９】
【図１】本発明の実施形態１に係るビデオプレイヤの構成を示す図である。
【図２】本発明の実施形態１に係る給湯装置の構成を示す図である。
【図３】本発明の実施形態１に係るビデオプレイヤおよび給湯装置の処理を示すフローチャートである図である。
【図４】本発明の実施形態１の実施例１に係る再生速度調整処理の例を示す図である。
【図５】本発明の実施形態５に係るスマートスピーカおよびその周辺の構成を示す図である。
【発明を実施するための形態】
【００１０】
〔実施形態１〕
以下、本発明の実施形態１について、詳細に説明する。本実施形態では、ユーザが浴槽に湯を入れながらビデオを見ている場合に、浴槽に適量の湯が溜まる時刻（給湯完了予定時刻）を給湯装置２０が予測して、ビデオプレイヤ１０に通知する。そして、ビデオプレイヤ１０がその時刻に切りのよいところで視聴が終了するように再生速度を調整する。
【００１１】
（ビデオプレイヤ１０の構成）
図１は、本実施形態に係るビデオプレイヤ（コンテンツ再生装置）１０の構成を示す図である。ビデオプレイヤ１０は、周辺機器と連携するビデオ再生機器である。なお、コンテンツは、動画、音楽等を含むものとする。また、ビデオプレイヤ１０の代わりに、セットトップボックス、ネット動画再生端末、音楽再生機器等であってもよい。
【００１２】
図１に示すように、ビデオプレイヤ１０は、構成要素として、記憶部１００、制御部（制御装置）１０１、メモリ１０２、メモリ１０３、エンコーダデコーダ１０４、および、通信部１０５を備えている。各構成要素は、データバス１０６を通じて相互に通信可能である。データバス１０６は、ビデオプレイヤ１０内部の各構成要素が、コンテンツデータ、制御信号、一時データ、通信データ等を相互に送受信するための通信路である。
【００１３】
記憶部１００は、再生するコンテンツデータを保存する記憶装置であり、例えば、ＨＤＤ（Hard Disk Drive）、ＳＳＤ（Solid State Drive）等により構成される。制御部１０１は、ビデオプレイヤ１０を制御する。詳細には、制御部１０１は、メモリ１０２に格納される制御プログラムを実行することにより、ビデオプレイヤ１０全体の動作を制御するものであり、例えば、ＣＰＵ（Central Processing Unit）等により構成される。
【００１４】
メモリ１０２は、ビデオプレイヤ１０を動作させるための制御プログラムを格納するものであり、例えば、ＲＯＭ（Read Only Memory）等により構成される。メモリ１０３は制御プログラムの展開部分、および、再生データを一時格納するものであり、例えば、ＲＡＭ（Random Access Memory）等により構成される。
【００１５】
エンコーダデコーダ１０４は、記憶部１００に格納されているコンテンツデータをエンコード、および、デコードするモジュールである。通信部１０５は、給湯装置（連携装置）２０と通信するための機器である。なお、ビデオプレイヤ１０と、給湯装置２０との通信は、Ｂｌｕｅｔｏｏｔｈ（登録商標）、Ｗｉ−Ｆｉ（登録商標）等の無線近距離通信による。
【００１６】
記憶部１００に保存されるコンテンツデータの詳細は、コンテンツデータＤ０００、コンテンツ説明情報ファイルＤ００１、および、コンテンツ時間情報ファイルＤ００２である。コンテンツデータＤ０００は、コンテンツデータの本体である。コンテンツ説明情報ファイルＤ００１は、各コンテンツを説明する情報が格納されているファイルである。コンテンツ時間情報ファイルＤ００２は、各コンテンツの時間情報が格納されているファイルである。
【００１７】
（制御部１０１のブロック構成）
制御部１０１は、機能モジュールとして、イベント予定時刻取得部（イベント予定時刻取得処理部）１０１１、区切り位置取得部（区切り位置取得処理部）１０１２、および、再生速度調整部（再生速度調整処理部）１０１３を備えている。
【００１８】
イベント予定時刻取得部１０１１は、連携装置のイベント予定時刻を取得する。区切り位置取得部１０１２は、ビデオプレイヤ１０が再生中のコンテンツの区切り位置を取得する。再生速度調整部１０１３は、イベント予定時刻以前に、再生位置が区切り位置に到達するように、コンテンツの再生速度を調整する。
【００１９】
なお、区切り位置とは、切りがよいシーン（シーンの切替り）であり、例えば、ＤＶＤ（Digital Versatile Disk）におけるチャプタ（タイトル）の区切り、テレビ放送の録画データにおけるＣＭ開始等の検出箇所である。
【００２０】
本実施形態では、連携装置は給湯装置２０であり、イベント予定時刻は、給湯装置２０の給湯完了予定時刻である。
【００２１】
（給湯装置２０の構成）
図２は、本実施形態に係る給湯装置２０の構成を示す図である。給湯装置２０は、ビデオプレイヤ１０と連携する連携装置の一例である。
【００２２】
図２に示すように、給湯装置２０は、構成要素として、制御部２００、メモリ２０１、給湯制御部２０２、給湯時間予測部２０３、および、通信部２０４を備えている。各構成要素は、データバス２０５を通じて相互に通信可能である。データバス２０５は、給湯装置２０内部の各構成要素が、制御信号、一時データ、通信データ等を相互に送受信するための通信路である。
【００２３】
制御部２００は、給湯装置２０を制御する。詳細には、制御部２００は、メモリに格納される制御プログラムを実行することにより、給湯装置２０全体の動作を制御するものであり、例えば、ＣＰＵ等により構成される。メモリ２０１は、給湯装置２０の動作に関する一時データを一時的に格納するものであり、例えば、ＲＡＭ等により構成される。
【００２４】
給湯制御部２０２は、給水、湯沸かしを含む給湯を制御する。給湯時間予測部２０３は、給湯制御部２０２の動作に基づいて、給湯完了までの所要時間を予測する。通信部２０４は、ビデオプレイヤ１０と連携するための通信機器である。
【００２５】
（ビデオプレイヤ１０および給湯装置２０の処理）
図３は、本実施形態に係るビデオプレイヤ１０および給湯装置２０の処理を示すフローチャートである。以下、図３に沿って説明する。
【００２６】
（ステップＳ３０１）
ビデオプレイヤ１０は、コンテンツデータの再生を開始する。なお、ビデオプレイヤ１０による動画（コンテンツ）再生開始時刻と、給湯装置２０による給湯開始時刻との順序は、いずれが先であってもよい。
【００２７】
（ステップＳ３０２）
ビデオプレイヤ１０は、連携対象となる１以上の周辺装置（連携装置）に、動作状況に関する問合せを、通信部１０５を介して送信する。
【００２８】
（ステップＳ３０３）
連携装置として、例えば、給湯装置２０は、ビデオプレイヤ１０から、動作状況に関する問合せを、通信部２０４を介して受信する。
【００２９】
（ステップＳ３０４）
給湯装置２０の制御部２００は、給湯制御部２０２を介して、自装置が動作中であるか否かを判定する。制御部２００は、自装置が動作中であると判定した場合（ステップＳ３０４のＹｅｓ）、ステップＳ３０５の処理を実行する。制御部２００は、自装置が動作中でないと判定した場合（ステップＳ３０４のＮｏ）、ステップＳ３０７の処理を実行する。
【００３０】
（ステップＳ３０５）
給湯装置２０の給湯時間予測部２０３は、現在から給湯完了までの所要時間を予測する。
【００３１】
（ステップＳ３０６）
給湯装置２０の制御部２００は、ビデオプレイヤ１０からの問合せに対する回答として、動作中であること、および、現在から給湯完了までの所要時間を、メモリ２０１に設定する。なお、制御部２００は、所要時間の代わりに、給湯完了予定時刻を設定してもよい。
【００３２】
（ステップＳ３０７）
給湯装置２０の制御部２００は、ビデオプレイヤ１０からの問合せに対する回答として、非動作中であることを、メモリ２０１に設定する。
【００３３】
（ステップＳ３０８）
給湯装置２０は、メモリ２０１に設定された回答を、通信部２０４を介してビデオプレイヤ１０に送信する。その後、給湯装置２０は、処理を終了する。
【００３４】
（ステップＳ３０９）
ビデオプレイヤ１０は、問合せに対する回答を、給湯装置２０から通信部１０５を介して受信する。
【００３５】
（ステップＳ３１０）
ビデオプレイヤ１０の制御部１０１は、ステップＳ３０９で受信した回答を参照して、周辺装置である給湯装置２０が動作中であるか否かを判定する。制御部１０１は、動作中である場合（ステップＳ３１０のＹｅｓ）、ステップＳ３１１の処理を実行する。制御部１０１は、動作中でない場合（ステップＳ３１０のＮｏ）、ステップＳ３１２の処理を実行する。
【００３６】
（ステップＳ３１１）
ビデオプレイヤ１０の制御部１０１において、イベント予定時刻取得部１０１１は、現在時刻に、ステップＳ３０９で受信した回答に含まれる所要時間を加算することにより、給湯装置２０の給湯完了予定時刻を取得する。区切り位置取得部１０１２は、ビデオプレイヤ１０が再生中の動画の区切り位置を取得する。
【００３７】
再生速度調整部１０１３は、動画の再生位置が区切り位置に到達する時刻が給湯完了予定時刻よりも後の場合に、当該給湯完了予定時刻以前に、再生位置が区切り位置に到達するように、動画の再生速度を調整する。再生速度調整処理の詳細は、後記する。
【００３８】
その後、制御部１０１は、処理を終了する。
【００３９】
なお、ビデオプレイヤ１０は、動画の再生位置が区切り位置に到達した場合に、「お湯が沸いていますよ。」と音声出力してもよい。
【００４０】
（ステップＳ３１２）
ビデオプレイヤ１０の制御部１０１は、そのままコンテンツデータの再生動作を継続する。
【００４１】
なお、複数の連携装置から動作中の回答を受信した場合、ビデオプレイヤ１０の制御部１０１は、例えば、複数の連携装置におけるイベントのうち、最初に発生するイベントに合わせて再生速度を調整する。その後、制御部１０１は、次のイベントの発生時刻をユーザに伝えて、視聴を継続するか、または、次のイベント発生後まで視聴を一時停止するかを、ユーザが選択可能にしてもよい。
【００４２】
（再生速度調整処理の詳細）
ビデオプレイヤ１０の制御部１０１は、区切り位置取得部１０１２が複数の区切り位置を取得した場合、再生速度調整部１０１３は、再生位置が給湯完了予定時刻（イベント予定時刻）以前に当該複数の区切り位置の各々に到達するための再生速度のうち、１倍に最も近い再生速度に調整する。以下に、再生速度調整処理の詳細を説明する。
【００４３】
まず、ビデオプレイヤ１０は、コンテンツ再生開始時に周辺装置に動作状況を問合せる。そして、ビデオプレイヤ１０のイベント予定時刻取得部１０１１は、動作中の周辺装置から給湯装置２０の給湯完了予定時間（イベント終了予定時間）ｔｐを取得する。なお、イベント予定時刻取得部１０１１は、給湯完了予定時刻を取得して、当該給湯完了予定時刻から現在時刻を減算して、給湯完了予定時間（イベント終了予定時間）ｔｐとしてもよい。
【００４４】
次に、ビデオプレイヤ１０の区切り位置取得部１０１２は、記憶部１００のコンテンツ時間情報ファイルＤ００２から、再生しているコンテンツに関して、次の区切りまでの再生時間ｔ１、その次の区切りまでの再生時間ｔ２、・・・、最後の区切りまでの再生時間ｔｅを、コンテンツの最後まで抽出する。
【００４５】
続いて、ビデオプレイヤ１０の再生速度調整部１０１３は、区切りまでの再生時間ｔ１、ｔ２、・・・、ｔｅのそれぞれと、給湯完了予定時間ｔｐとの時間比ｒ（ｔ１）、ｒ（ｔ２）、・・・、ｒ（ｔｅ）を算出する。そして、再生速度調整部１０１３は、時間比ｒ（ｔｎ）が１に最も近くなるｔｎに対して、ｔｎ／ｔｐ＝１になるように、動画の再生速度を調整する。
【００４６】
（実施例１）
図４は、本実施形態の実施例１に係る再生速度調整処理の例を示す図である。ここで、前提条件として、給湯装置２０の給湯完了予定時間ｔｐは３０分である。再生するコンテンツの各ブロックの再生時間ｔｎは、図４に示すように、ｔ１＝７．５分、ｔ２＝３３分、ｔ３＝５２．５分、ｔ４＝６０分である。従って、時間比ｒ（ｔｎ）は、ｒ（ｔ１）＝０．２５、ｒ（ｔ２）＝１．１、ｒ（ｔ３）＝１．７５、ｒ（ｔ４）＝２．０である。
【００４７】
再生速度調整部１０１３は、時間比ｒ（ｔｎ）が１に最も近い１．１であるｔ２に対して、ｔ２／ｔｐ＝１となるよう、動画の再生速度を１．１倍に調整する。
【００４８】
（実施形態１の効果）
ユーザは、動画を視聴している最中に、給湯装置２０の給湯完了によって動画の視聴が妨げられる可能性がある。実施形態１によれば、ビデオプレイヤ１０が給湯装置２０の給湯完了予測時刻を取得して、動画の再生時間を調整することにより、ユーザによる動画の視聴が妨げられるのを防止することができる。
【００４９】
なお、実施形態１は、ビデオプレイヤ１０による動画再生の代わりに、ネットワークを介したストリーミング配信による動画再生に適用してもよい。この場合、動画を再生する端末が、動画を配信するサーバに対して再生速度の調整を指示する。
【００５０】
また、実施形態１は、給湯装置２０の代わりに、洗濯機に適用可能である。この場合、ビデオプレイヤ１０は、動画の再生位置が区切り位置に到達した場合に、「洗濯が終わっていますよ。」と音声出力してもよい。
【００５１】
〔実施形態２〕
本発明の実施形態２について、以下に説明する。なお、説明の便宜上、実施形態１にて説明した部材と同じ機能を有する部材については、同じ符号を付記し、その説明を繰り返さない。
【００５２】
本実施形態では、ユーザが炊飯器、コンロ、電子レンジ、オーブン等の調理装置３０（図示せず）を用いて、例えば、ご飯を炊きながらビデオを見ている場合に、調理装置３０がご飯の炊ける時刻（調理完了予定時刻）をビデオプレイヤ１０に通知する。そして、ビデオプレイヤ１０は、その時刻に切りのよいところで視聴が終了するように再生速度を調整する。連携装置は調理装置３０であり、イベント予定時刻は調理装置３０の調理完了予定時刻である。
【００５３】
図２の給湯装置２０と同様に、調理装置３０は、構成要素として、制御部３００、メモリ３０１、調理制御部３０２、調理時間予測部３０３、および、通信部３０４を備えている。調理制御部３０２は、炊飯、加熱等の調理を制御する。調理時間予測部３０３は、調理制御部３０２の動作に基づいて、調理完了までの所要時間を予測する。
【００５４】
図３の処理とは異なり、調理装置３０においては、制御部３００が自装置が動作中であると判定した場合、調理時間予測部３０３が現在から調理完了までの所要時間を予測する。そして、制御部２００は、ビデオプレイヤ１０からの問合せに対する回答として、動作中であること、および、現在から調理完了までの所要時間を、メモリ３０１に設定する。その他の処理は、図３の処理と同様である。
【００５５】
（実施形態２の効果）
実施形態２によれば、ビデオプレイヤ１０が調理装置３０の調理完了予測時刻を取得して、動画の再生時間を調整することにより、ユーザによる動画の視聴が妨げられるのを防止することができる。
【００５６】
〔実施形態３〕
本発明の実施形態３について、以下に説明する。なお、説明の便宜上、実施形態１、２にて説明した部材と同じ機能を有する部材については、同じ符号を付記し、その説明を繰り返さない。
【００５７】
本実施形態では、ユーザがキッチンタイマ４０（図示せず）をセットしてビデオを見ている場合に、キッチンタイマ４０が通知予定時刻をビデオプレイヤ１０に通知する。そして、ビデオプレイヤ１０は、通知予定時刻に切りのよいところで視聴が終了するように再生速度を調整する。連携装置は通知機能を有するキッチンタイマ４０であり、イベント予定時刻はキッチンタイマ４０の通知予定時刻である。
【００５８】
図２の給湯装置２０と同様に、キッチンタイマ４０は、構成要素として、制御部４００、メモリ４０１、通知制御部４０２、通知時間予測部４０３、および、通信部４０４を備えている。通知制御部４０２は、通知時刻の設定を制御する。通知時間予測部４０３は、通知制御部４０２の動作に基づいて、次の通知までの所要時間を予測する。
【００５９】
図３の処理とは異なり、キッチンタイマ４０においては、制御部４００が自装置が動作中であると判定した場合、通知時間予測部４０３が現在から次の通知完了までの所要時間を予測する。そして、制御部４００は、ビデオプレイヤ１０からの問合せに対する回答として、動作中であること、および、現在から次の通知完了までの所要時間を、メモリ４０１に設定する。その他の処理は、図３の処理と同様である。
【００６０】
（実施形態３の効果）
実施形態３によれば、ビデオプレイヤ１０がキッチンタイマ４０の通知予定時刻を取得して、動画の再生時間を調整することにより、ユーザによる動画の視聴が妨げられるのを防止することができる。
【００６１】
なお、実施形態３は、キッチンタイマ４０に代わりに、就寝時刻、または、消灯時刻に照明を暗くするタイマ機器に適用してもよい。
【００６２】
〔実施形態４〕
本発明の実施形態４について、以下に説明する。なお、説明の便宜上、実施形態１から３にて説明した部材と同じ機能を有する部材については、同じ符号を付記し、その説明を繰り返さない。
【００６３】
本実施形態では、ユーザがスケジュール管理装置５０（図示せず）に予定を入力した後でビデオを見ている場合に、スケジュール管理装置５０が通知予定時刻をビデオプレイヤ１０に通知する。そして、ビデオプレイヤ１０は、通知予定時刻に切りのよいところで視聴が終了するように再生速度を調整する。
【００６４】
スケジュール管理装置５０は、スケジュールアプリがインストールされたスマートフォン等で構成される。連携装置は通知機能を有するスケジュール管理装置５０であり、イベント予定時刻は、スケジュール管理装置５０の通知予定時刻である。
【００６５】
図２の給湯装置２０と同様に、スケジュール管理装置５０は、構成要素として、制御部５００、メモリ５０１、通知制御部５０２、通知時間予測部５０３、および、通信部５０４を備えている。通知制御部４０２は、スケジュールを管理する。通知時間予測部５０３は、通知制御部５０２の動作に基づいて、次の通知までの所要時間を予測する。
【００６６】
図３の処理とは異なり、スケジュール管理装置５０においては、制御部５００が自装置にスケジュールが設定されている（自装置が動作中である）と判定した場合、通知時間予測部５０３が現在から次の通知予定時刻までの所要時間を予測する。そして、制御部５００は、ビデオプレイヤ１０からの問合せに対する回答として、動作中であること、および、現在から次の通知予定時刻までの所要時間を、メモリ５０１に設定する。その他の処理は、図３の処理と同様である。
【００６７】
（実施形態４の効果）
実施形態４によれば、ビデオプレイヤ１０がスケジュール管理装置５０の通知予定時刻を取得して、動画の再生時間を調整することにより、ユーザによる動画の視聴が妨げられるのを防止することができる。
【００６８】
〔実施形態５〕
本発明の実施形態５について、以下に説明する。なお、説明の便宜上、実施形態１から４にて説明した部材と同じ機能を有する部材については、同じ符号を付記し、その説明を繰り返さない。
【００６９】
本実施形態では、ユーザは、自分の声等により、スマートスピーカ（統合制御装置）６０に、ビデオプレイヤ（動画再生装置）１０の動画再生を指示した後で、キッチンタイマ４０の時間設定を指示する。この場合、スマートスピーカ６０は、キッチンタイマ４０の設定時間から通知予定時刻を算出し、ビデオプレイヤ１０が通知予定時刻に切りのよいところで視聴が終了するように再生速度を調整する。
【００７０】
図５は、本実施形態に係るスマートスピーカ（統合制御装置）６０およびその周辺の構成を示す図である。図５に示すように、スマートスピーカ６０は、ビデオプレイヤ１０およびキッチンタイマ（連携装置）４０と相互に通信可能である。スマートスピーカ６０は、実施形態１に係るビデオプレイヤ１０の制御部１０１と同様の機能を備えた制御部（制御装置）６０１と、ビデオプレイヤ１０およびキッチンタイマ４０と通信する通信部６０２と、を備えている。
【００７１】
制御部６０１は、さらにキッチンタイマ４０を制御する。詳細には、制御部６０１は、ユーザからキッチンタイマ４０の時間設定を行う指示を受けた場合に、キッチンタイマ４０に設定時間を通知する。キッチンタイマ４０は、スマートスピーカ６０から設定時間の通知を受けて、タイマに時間設定を行う。
【００７２】
（実施形態５の効果）
実施形態５によれば、スマートスピーカ６０がキッチンタイマ４０の通知予定時刻を取得して、動画の再生時間を調整することにより、ユーザによる動画の視聴が妨げられるのを防止することができる。また、スマートスピーカ６０がユーザの声等による指示を認識することにより、快適な操作環境を提供することができる。
【００７３】
なお、スマートスピーカ６０がさらにキッチンタイマ４０の機能を備えていてもよい。これによれば、スマートスピーカ６０をキッチンタイマとして使用することができる。
【００７４】
〔ソフトウェアによる実現例〕
ビデオプレイヤ１０および給湯装置２０の制御ブロック（特に、制御部１０１、制御部２００、給湯制御部２０２、給湯時間予測部２０３）は、集積回路（ＩＣチップ）等に形成された論理回路（ハードウェア）によって実現してもよいし、ソフトウェアによって実現してもよい。
【００７５】
後者の場合、ビデオプレイヤ１０および給湯装置２０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７６】
〔まとめ〕
本発明の態様１に係る制御装置（制御部１０１）は、コンテンツ再生装置（ビデオプレイヤ１０）を制御する制御装置であって、連携装置（給湯装置２０）のイベント予定時刻を取得するイベント予定時刻取得処理部（イベント予定時刻取得部１０１１）と、前記コンテンツ再生装置が再生中のコンテンツの区切り位置を取得する区切り位置取得処理部（区切り位置取得部１０１２）と、前記イベント予定時刻以前に、前記コンテンツの再生位置が前記区切り位置に到達するように、前記コンテンツの再生速度を調整する再生速度調整処理部（再生速度調整部１０１３）と、を備えている。
【００７７】
上記の構成によれば、コンテンツ視聴中のユーザにイベント発生による不快感を与えないようにすることができる。
【００７８】
本発明の態様２に係る制御装置は、上記態様１において、前記区切り位置取得処理部が複数の区切り位置を取得した場合、前記再生速度調整処理部は、前記再生位置が前記イベント予定時刻以前に当該複数の区切り位置の各々に到達するための再生速度のうち、１倍に最も近い再生速度に調整することとしてもよい。
【００７９】
上記の構成によれば、コンテンツ視聴中のユーザに再生速度の調整による違和感を与えないようにすることができる。
【００８０】
本発明の態様３に係る制御装置は、上記態様１、２において、前記連携装置が給湯装置（２０）であり、前記イベント予定時刻が、前記給湯装置の給湯完了予定時刻であることとしてもよい。
【００８１】
上記の構成によれば、給湯完了予定時刻以前に、コンテンツの再生位置を区切り位置に到達させることができる。
【００８２】
本発明の態様４に係る制御装置は、上記態様１、２において、前記連携装置が調理装置（３０）であり、前記イベント予定時刻が、前記調理装置の調理完了予定時刻であることとしてもよい。
【００８３】
上記の構成によれば、調理完了予定時刻以前に、コンテンツの再生位置を区切り位置に到達させることができる。
【００８４】
本発明の態様５に係る制御装置は、上記態様１、２において、前記連携装置（キッチンタイマ４０）が通知機能を有し、前記イベント予定時刻が、前記連携装置の通知予定時刻であることとしてもよい。
【００８５】
上記の構成によれば、連携装置の通知予定時刻以前に、コンテンツの再生位置を区切り位置に到達させることができる。
【００８６】
本発明の態様６に係るコンテンツ再生装置（ビデオプレイヤ１０）は、上記態様１から５の制御装置（制御部１０１）と、前記連携装置との通信部（１０５）と、を備えている。
【００８７】
上記の構成によれば、コンテンツ視聴中のユーザにイベント発生による不快感を与えないようにすることができる。
【００８８】
本発明の態様７に係る統合制御装置（スマートスピーカ６０）は、上記態様１から５の制御装置（制御部６０１）と、前記コンテンツ再生装置および前記連携装置との通信部（６０２）と、を備え、前記制御装置が、さらに前記連携装置（キッチンタイマ４０）を制御する。
【００８９】
上記の構成によれば、コンテンツ視聴中のユーザにイベント発生による不快感を与えないようにすることができるとともに、コンテンツ再生装置および連携装置を制御することができる。
【００９０】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９２】
１０  ビデオプレイヤ（コンテンツ再生装置）
２０  給湯装置（連携装置）
３０  調理装置（連携装置）
４０  キッチンタイマ（通知装置、連携装置）
５０  スケジュール管理装置（連携装置）
６０  スマートスピーカ（統括制御装置）
１０１  制御部（制御装置）
１０１１  イベント予定時刻取得部（イベント予定時刻取得処理部）
１０１２  区切り位置取得部（区切り位置取得処理部）
１０１３  再生速度調整部（再生速度調整処理部）
【図１】
2019205130.tif 000003
【図２】
2019205130.tif 000004
【図３】
2019205130.tif 000005
【図４】
2019205130.tif 000006
【図５】
2019205130.tif 000007